(57)【要約】【課題】放射状に光を出射する発光部を用いた光源の薄型化と配向特性の向上とを達成すること。【解決手段】本発明は、基板１と、基板１の主面１ａに設けられた、開口３１を有するシート状の反射部３と、開口３１において基板１の主面１ａに設けられ、放射状に光を出射する発光部２と、を備え、反射部３として、基板１の主面１ａから離れるに従い、開口３１の内壁面３２の主面１ａに対する角度が小さくなる部分を有する光源１０である。また、この光源１０を用いた面光源モジュールである。【選択図】図１
2011181219.tif 000002
【特許請求の範囲】
【請求項１】
基板と、
前記基板の主面に設けられた、開口を有するシート状の反射部と、
前記開口において前記基板の主面に設けられ、放射状に光を出射する発光部と、
を備え、
前記反射部は、前記基板の主面から離れるに従い、前記開口の内壁面の前記主面に対する角度が小さくなる部分を有することを特徴とする光源。
【請求項２】
前記反射部は、前記基板の主面から上方に向かうに従い、前記開口の内壁面の前記主面に対する角度が大きくなる部分を、さらに有することを特徴とする請求項１記載の光源。
【請求項３】
前記発光部の、前記基板の主面側の端部と、前記反射部の、前記基板の主面側の端部と、の間に隙間が設けられたことを特徴とする請求項１または２に記載の光源。
【請求項４】
前記発光部は、発光素子を封止する透光性部材を有することを特徴とする請求項１〜３のいずれか１つに記載の光源。
【請求項５】
前記基板の主面に、前記発光部が複数設けられ、
前記反射部は、前記発光部の各々の位置に、前記開口が設けられたことを特徴とする請求項１〜４のいずれか１つに記載の光源。
【請求項６】
前記反射部は、前記開口と、その開口と隣り合う開口と、の間に平坦部を有することを特徴とする請求項５記載の光源。
【請求項７】
前記反射部は、前記基板の主面における前記発光部の位置により、前記傾斜が異なっていることを特徴とする請求項５または６に記載の光源。
【請求項８】
前記反射部は、前記基板の主面における前記発光部の位置により、前記発光部の中心に対する前記開口の中心のずれの大きさ、および方向が異なっていることを特徴とする請求項５〜７のいずれか１つに記載の光源。
【請求項９】
前記反射部は、前記基板の主面における前記発光部の位置により、前記開口の大きさが異なっていることを特徴とする請求項５〜８のいずれか１つに記載の光源。
【請求項１０】
請求項１〜８のいずれか１つに記載の光源と、
前記光源に対向して設けられた拡散部と、
を備えることを特徴とする面光源モジュール。
【請求項１１】
放射状に光を出射する発光部を、基板の主面に実装する工程と、
開口が設けられたシート状の反射部を、前記開口と前記発光部とが合わせられるように前記基板の主面に取り付ける工程と、
を備えることを特徴とする光源の製造方法。
【発明の詳細な説明】
【技術分野】
【０００１】
本発明は、光源、面光源モジュールおよび光源の製造方法に関する。
【背景技術】
【０００２】
現在、直下型ＬＣＤ（Liquid Crystal Display）バックライトユニットに使用されているＬＥＤ（Light Emitting Diode）は、ＰＬＣＣ（Plastic Leaded Chip Carrior）タイプのパッケージが多く使用されている。このＰＬＣＣタイプのＬＥＤは、チップ側面に反射板を備えた構造になっており、チップ側面から照射される光が反射し上面に照射されるようになっている。
【０００３】
特許文献１には、基板カバーの表面に光反射材が形成され、ＬＥＤの出射光が基板カバーで光吸収されずに上方へ出射されるようにしたバックライトが開示されている。しかしながら、従来の技術では、バックライトモジュールの更なる薄型化を図る上で、十分な配光特性を実現できる構成とはいえない。
【先行技術文献】
【特許文献】
【０００４】
【特許文献１】特開２００９−２７２４５１号公報
【発明の概要】
【発明が解決しようとする課題】
【０００５】
本発明は、光源の薄型化と配向特性の向上とを達成できる光源、面光源モジュールおよび光源の製造方法を提供する。
【課題を解決するための手段】
【０００６】
本発明の一態様によれば、基板と、前記基板の主面に設けられた、開口を有するシート状の反射部と、前記開口において前記基板の主面に設けられ、放射状に光を出射する発光部と、を備え、前記反射部は、前記基板の主面から離れるに従い、前記開口の内壁面の前記主面に対する角度が小さくなる部分を有することを特徴とする光源が提供される。
【０００７】
また、本発明の他の一態様によれば、上記光源と、この光源に対向して設けられた拡散部とを備えることを特徴とする面光源モジュールが提供される。さらに、本発明の他の一態様によれば、放射状に光を出射する発光部を、基板の主面に実装する工程と、開口が設けられたシート状の反射部を、前記開口と前記発光部とが合わせられるように前記基板の主面に取り付ける工程と、を備えることを特徴とする光源の製造方法が提供される。
【発明の効果】
【０００８】
本発明によれば、光源の薄型化と配向特性の向上とを達成できる光源、面光源モジュールおよび光源の製造方法が提供される。
【図面の簡単な説明】
【０００９】
【図１】第１の実施の形態に係る光源の構成を例示する模式断面図である。
【図２】比較例を説明する模式断面図である。
【図３】配向特性を例示する図である。
【図４】第１の実施の形態に係る光源の他の例を説明する模式断面図（その１）である。
【図５】第１の実施の形態に係る光源の他の例を説明する模式断面図（その２）である。
【図６】第２の実施の形態に係る光源を説明する模式図（その１）である。
【図７】第２の実施の形態に係る光源を説明する模式図（その２）である。
【図８】第３の実施の形態に係る光源を説明する模式図である。
【図９】複数の発光部を有する光源１５を例示する模式図である。
【図１０】第４の実施の形態に係る光源の他の例を説明する模式断面図（その１）である。
【図１１】第４の実施の形態に係る光源の他の例を説明する模式断面図（その２）である。
【図１２】第５の実施の形態に係る面光源モジュールを例示する模式図である。
【図１３】光源の製造方法を説明する模式斜視図である。
【発明を実施するための形態】
【００１０】
以下、本発明の実施の形態を図に基づき説明する。
なお、図面は模式的または概念的なものであり、各部分の厚みと幅との関係、部分間の大きさの比係数などは、必ずしも現実のものと同一とは限らない。また、同じ部分を表す場合であっても、図面により互いの寸法や比係数が異なって表される場合もある。
また、本願明細書と各図において、既出の図に関して前述したものと同様の要素には同一の符号を付して詳細な説明は適宜省略する。
【００１１】
（第１の実施の形態）
図１は、第１の実施の形態に係る光源の構成を例示する模式断面図である。
すなわち、同図（ａ）は、発光部周辺の模式断面図、同図（ｂ）は、発光部と反射部との隙間部分の模式拡大断面図である。
図１（ａ）に表したように、光源１０は、基板１と、発光部２と、反射部３と、を備えている。また、光源１０は、必要に応じて、拡散板４を更に備えている。
発光部２は、基板１の主面１ａに設けられている。また、発光部２は、放射状に光を出射する。
反射部３は、シート状に設けられている。すなわち、反射部３は、薄板状やフィルム状に設けられている。反射部３には、発光部２の位置に開口３１が設けられている。この開口３１の内壁面３２は、基板１の主面１ａから離れるに従い、主面１ａに対する角度が小さくなる部分を有している。
【００１２】
基板１には、配線パターン（図示せず）が設けられている。発光部２は、基板１の主面１ａに、例えば面実装されている。そして、発光部２は、基板１の配線パターンと電気的に導通するよう接続されている。
【００１３】
発光部２は、支持基板２１、発光素子２２、および透光性部材２３を含む。発光素子２２には、例えばＬＥＤ（Light Emitting Diode）やＬＤ（Laser Diode）が用いられる。発光素子２は、支持基板２１に実装されている。また、発光素子２２は、支持基板２１の一方面側において、透光性部材２３によって封止されている。発光部２は、これらの要素によって、いわゆるシースルーパッケージ構造になっている。発光部２では、発光素子２２から出射した光が、透光性部材２３を通過する際に散乱して、発光素子２２を中心として放射状に出射する。
【００１４】
反射部３には、例えばＰＥＴ（Polyethylene terephthalate）、ポリエステル系樹脂、ウレタン系樹脂が用いられている。反射部３は、上記の材料を用いてシート状に形成されている。
【００１５】
この反射部３には、発光部２の位置に合わせて開口３１が設けられている。開口３１は、発光部２の外形より大きく設けられている。
【００１６】
図１（ａ）に表したように、発光部２から放射状に出射された光のうち、ある範囲の光は、そのまま進む。一方、発光部２から放射状に出射された光のうち、別なある範囲の光は、反射部３の内壁面３２で反射して進む。これにより、発光部２の、反射部３の内壁面３２の方向へ向かう光は、内壁面３２で角度が上方寄りに変えられることになる。
【００１７】
図１（ｂ）に表したように、基板１の主面１ａに設けられる発光部２と、反射部３と、の間には、隙間Ｄが設けられている。この隙間Ｄが設けられていることで、発光部２の側方や側方より基板１の主面１ａ寄りに出射した光が、確実に開口３１の内壁面３２に当たることになる。
また、発光部２と反射部３との隙間Ｄでは、基板１の主面１ａが露出する状態になる。したがって、この露出する部分に、光の反射材料を設けておいてもよい。
【００１８】
図１（ｂ）に表したように、開口３１の内壁面３２は、基板１の主面１ａから離れるに従い、角度が大きくなるよう設けられている。例えば、反射部３の内壁面３２における、基板１の主面１ａに近い部分３２ａでは、主面１ａに対する接線の角度がθ１になっている。一方、内壁面３２の部分３２ａよりも主面１ａから離れた部分３２ｂでは、主面１ａに対する接線の角度がθ２になっている。θ２は、θ１よりも小さくなっている。
【００１９】
図１に表した開口３１では、内壁面３２が、例えば曲面状になっている。これにより、内壁面３２は、主面１ａから離れるに従い、主面１ａに対する角度が徐々に小さくなる。すなわち、開口３１の大きさは、主面１ａから離れるに従い、大きくなる。このような開口３１の内壁面３２の形状によって、発光部２から出射された放射状の光は、効率良く上方に向かうようになる。さらに、発光部２から出射された光は、内壁面３２の主面１ａに対する角度に応じて所望の拡がりをもって分布することになる。
【００２０】
また、図１（ｂ）に表したように、反射部３の主面１ａからの高さｈ２は、発光部２の主面１ａからの高さｈ１以下になっている。なお、図１（ｂ）に例示された高さｈ２は、高さｈ１よりも低くなっているが、同じでもよい。これにより、発光部２の上方に放射される光、具体的には、透光性部材２３の上面２３ａから上方に放射される光は、開口３１の内壁面３２に蹴られることなく、上方に進むことになる。
【００２１】
（比較例）
図２は、比較例を説明する模式断面図である。同図（ａ）は、基板１の主面１ａに発光部２が設けられた例、同図（ｂ）は、発光部２ａのパッケージ構造が異なる例である。
すなわち、図２（ａ）に表した光源１１では、反射部３が設けられていない。また、図２（ｂ）では、発光部２ａに反射部分３３が設けられたパッケージ構造の例である。
【００２２】
図２（ａ）に表した光源１１では、発光部２から放射状に出射した光は、放射方向にそのまま進むことになる。また、図２（ｂ）に表した光源１２では、発光部２ｈのパッケージ２４の凹部内に発光素子２２が実装されている。光源１２では、このパッケージ２４の凹部内壁が反射部分３３になっている。これにより、発光素子２２から放射状に出射された光は、反射部分３３で反射して、上方に集められることになる。
【００２３】
光源１１と光源１２とでは、発光部２および２ｈのパッケージ構造の相違により、光源１１の方が光源１２に比べて薄型化を達成できる。しかしながら、光源１１では、発光部２から放射状に光が出射するため、光源１２に比べて上方の拡散板４へ向かう光の量が少なくなる。
【００２４】
一方、光源１２は、光源１１に比べて上方の拡散板４へ向かう光の量が多い。しかし、拡散板４を近づけ過ぎると、拡散板４に照射される光がまだら模様になってしまう。このため、発光部２ｈと拡散板４との距離が、ある程度必要になる。よって、拡散板４を含めた光源１２の薄型化は困難である。
【００２５】
本実施の形態に係る光源１０では、光源１１と同じ発光部２を用い、上方の拡散板４へ向かう光の量を向上させる。これにより、光源１０の薄型化を達成しつつ、上方へ出射される光量の増加を図る。
【００２６】
図３は、配向特性を例示する図である。すなわち、この図では、半円の中心に光源が配置された場合の左右各９０°における出射光量の半値特性を相対値で表している。同図において、０°は発光部２の真上、９０°は発光部２の真横に対応している。
【００２７】
図３（ａ）は、反射部３を備えていない光源１１の配向特性を例示している。また、図３（ｂ）は、光源１０において、反射部３の高さｈ２が、０．２ミリメートル（ｍｍ）の場合の配向特性を例示している。また、図３（ｃ）は、光源１０において、反射部３の高さｈ２が、０．５ミリメートル（ｍｍ）の場合の配向特性を例示している。いずれの例示においても、発光部２の高さｈ１は、０．５５ミリメートル（ｍｍ）である。
【００２８】
ここで、発光部２から出射される光は、２つの光路に大別される。１つは、発光部２の上面から出射する光路である。他の１つは、発光部２の側面から出射する光路である。発光部２の上面から出射した光は、そのまま上方の拡散板４等へ進む。一方、発光部２の側面から出射した光は、反射部の有無によって光路が変わる。
【００２９】
図３（ａ）に表したように、反射部３を備えていない光源１１では、左右の各々９０°近くにおいて出射光が現れている。すなわち、発光部２の側面から出射した光は、多くがそのまま側方へ進むことになる。
【００３０】
一方、図３（ｂ）、（ｃ）に表したように、反射部３を備えている光源１０では、図３（ａ）の左右の各々９０°近くで現れていた出射光が抑制されている。すなわち、発光部２の側面から出射した光は、反射部３の開口３１における内壁面３２で上方に反射することになる。これにより、側方へ出射した光の多くは上方へ向かうことになる。
【００３１】
特に、反射部３の高さｈ２がより高い図３（ｃ）に示す特性では、左図３（ｂ）に示す特性よりも集光していることが分かる。例えば、光源１１に比べ、０．２ミリメートル（ｍｍ）の高さｈ２を有する反射部３を備えた光源１０では、上面方向の明るさが１０％程度増加する。ここで、上面方向の明るさは、±５０°の光量を積分した値である。また、反射部３の高さｈ２が、０．５ミリメートル（ｍｍ）の場合には、０．２ミリメートル（ｍｍ）の場合に比べ、配向角度を１４０°から１２０°へと狭小化することができる。
【００３２】
また、図示しないが、反射部３の開口３１の内壁面３２の角度や、発光部２と反射部３との隙間Ｄによっても配向特性（指向性）を変更できる。したがって、反射部３の高さ、内壁面３２の角度、および隙間Ｄのいずれか、またはいくつかの組み合わせによって、配向特性の調整が行われる。
【００３３】
次に、第１の実施の形態に係る光源の他の例を説明する。なお、以下の説明では、第１の実施の形態に係る光源１０との相違点を中心に説明する。
図４は、第１の実施の形態に係る光源の他の例を説明する模式断面図（その１）である。
図５は、第１の実施の形態に係る光源の他の例を説明する模式断面図（その２）である。
【００３４】
（第１の実施の形態の他の例（その１））
図４（ａ）は、第１の実施の形態の他の例（その１）に係る光源１０ａを例示する模式断面図である。
光源１０ａでは、反射部３ａにおいて、開口３１の内壁面が、基板１の主面１ａに対する角度が変化しない部分３２ｃと、変化する部分３２ｄと、を有している。
【００３５】
図４（ａ）に表した反射部３ａにおいて、内壁面の部分３２ｃは、主面１ａに対してほぼ垂直で一定である。また、内壁面の部分３２ｄは、主面１ａから離れるに従い、主面１ａに対する角度が小さくなるように変化している。
【００３６】
光源１０ａでは、上記内壁面の部分３２ｃにおける高さ、角度、および、内壁面の部分３２ｃにおける高さ、角度の変化によって、配向特性が調整される。
【００３７】
（第１の実施の形態の他の例（その２））
図４（ｂ）は、第１の実施の形態の他の例（その２）に係る光源１０ｂを例示する模式断面図である。
光源１０ｂでは、反射部３ｂにおいて、開口３１の内壁面が、基板１の主面１ａに対する第１の角度を有する部分３２ｅと、第２の角度を有する部分３２ｆと、を有している。
【００３８】
図４（ｂ）に表した反射部３ｂにおいて、内壁面の部分３２ｅの主面１ａに対する角度は、内壁面の部分３２ｆの主面に対する角度よりも大きくなっている。なお、角度は種々の値を取り得る。また、内壁面の部分３２ｅ、３２ｆの角度の大小関係は反対であってもよい。
【００３９】
光源１０ｂでは、上記内壁面の部分３２ｅ、３２ｆにおける主面１ａに対する高さ、角度によって、配向特性が調整される。なお、図４（ｂ）に表した反射部３ｂの例では、内壁面が部分３２ｅ、３２ｆによって２つの角度に設定されているが、３つ以上の部分によって異なる角度が設定されていてもよい。
【００４０】
（第１の実施の形態の他の例（その３））
図４（ｃ）は、第１の実施の形態の他の例（その３）に係る光源１０ｃを例示する模式断面図である。
光源１０ｃでは、反射部３ｃにおいて、開口３１の内壁面の主面１ａに対する角度が非対称になっている。例えば、図４（ｃ）に表した模式断面図において、発光部２の左側に表されている内壁面３２ｇの主面１ａに対する角度と、発光部２の右側に表されている内壁面３２ｈの主面１ａに対する角度とが、異なる角度になっている。
【００４１】
光源１０ｃでは、内壁面３２ｇ、３２ｈにおける主面１ａに対する高さ、角度によって、配向特性が調整される。また、光源１０ｃでは、内壁面３２ｇ、３２ｈの主面１ａに対する角度の相違によって、光の出射分布に非対称性を持たせることができる。例えば、図４（ｃ）に表した光源１０ｃでは、内壁面３２ｇの主面１ａに対する角度が、内壁面３２ｈの主面１ａに対する角度より小さくなっている。このため、光源１０ｃでは、発光部２を中心として内壁面３２ｇ側に光の出射分布が拡がる。
【００４２】
（第１の実施の形態の他の例（その４））
図５（ａ）は、第１の実施の形態の他の例（その４）に係る光源１０ｄを例示する模式断面図である。
光源１０ｄでは、反射部３ｄが複数層を含む構成になっている。図５（ａ）に表した反射部３ｄは、第１の反射層３ｄ−１と第２の反射層３ｄ−２との積層構造になっている。この積層構造の反射部３ｄにおいて、発光部２の位置に開口３１が設けられている。
【００４３】
この光源１０ｄでは、開口３１における第１の反射層３ｄ−１の内壁面３２ｉの主面１ａに対する角度と、開口３１における第２の反射層３ｄ−２の内壁面３２ｊの主面１ａに対する角度とが相違している。内壁面３２ｉおよび３２ｊの主面１ａに対する角度、反射層３ｄ−１および３ｄ−２の高さによって、発光部２から出射される光の反射角度が設定される。これにより、光源１０ｄの光の出射分布が設定される。
【００４４】
（第１の実施の形態の他の例（その５））
図５（ｂ）は、第１の実施の形態の他の例（その５）に係る光源１０ｅを例示する模式断面図である。
光源１０ｅでは、反射部３ｅが複数層を含む構成になっている。図５（ｂ）に表した反射部３ｅは、例えば、第１の反射層３ｅ−１、第２の反射層３ｅ−２、および第３の反射層３ｅ−３の積層構造になっている。この積層構造の反射部３ｅにおいて、発光部２の位置に開口３１が設けられている。
【００４５】
この光源１０ｅでは、開口３１における第１の反射層３ｅ−１の内壁面３２ｋの主面１ａに対する角度、第２の反射層３ｅ−２の内壁面３２ｌの主面１ａに対する角度、および第３の反射層３ｅ−３の内壁面３２ｍの主面１ａに対する角度が、各々相違している。図５（ｂ）に例示される光源１０ｅでは、主面１ａから離れる順、すなわち、内壁面３２ｋ、３２ｌ、および３２ｍの順に、主面１ａに対する角度が小さくなっている。これら内壁面３２ｋ、３２ｌ、および３２ｍの主面に対する角度、第１の反射層３ｅ−１、第２の反射層３ｅ−２、および第３の反射層３ｅ−３の厚さ、各開口サイズによって、光源１０ｅの光の出射分布が設定される。
【００４６】
（第１の実施の形態の他の例（その６））
図５（ｃ）は、第１の実施の形態の他の例（その６）に係る光源１０ｆを例示する模式断面図である。
光源１０ｆでは、反射部３ｆが複数層を含む構成になっている。図５（ｃ）に表した反射部３ｆは、例えば、第１の反射層３ｆ−１、第２の反射層３ｆ−２、および第３の反射層３ｆ−３の積層構造になっている。この積層構造の反射部３ｆにおいて、発光部２の位置に開口３１が設けられている。
【００４７】
この光源１０ｆでは、開口３１における第１の反射層３ｆ−１の内壁面３２ｎ、第２の反射層３ｆ−２の内壁面３２ｏ、および第３の反射層３ｆ−３の内壁面３２ｐの主面１ａに対する角度が同じになっている。図５（ｃ）に例示される光源１０ｆでは、内壁面３２ｎ、３２ｏ、および３２ｐの全てにおいて、主面１ａに対する角度が約９０°になっている。
【００４８】
また、光源１０ｆでは、第１の反射層３ｆ−１、第２の反射層３ｆ−２、および第３の反射層３ｆ−３の開口サイズが、主面１ａから離れるに従い大きくなっている。しかも、光源１０ｆでは、第１の反射層３ｆ−１の開口サイズと第２の反射層３ｆ−２の開口サイズとの差に対し、第２の反射層３ｆ−２の開口サイズと第３の反射層３ｆ−３の開口サイズとの差の方が大きくなっている。
【００４９】
つまり、光源１０ｆでは、各反射層３ｆ−１〜３ｆ−３の開口の上端を繋いだ仮想的な面（図中二点鎖線参照）が、開口３１の全体としての内壁面３２に相当する。したがって、光源１０ｆでは、図中二点鎖線で表した内壁面３２の、主面１ａに対する角度が、主面１ａから離れるに従い小さくなるよう設定される。この内壁面３２の主面１ａに対する角度は、各反射層３ｆ−１〜３ｆ−３の開口サイズ、開口サイズの変化、および各反射層３ｆ−１〜３ｆ−３の厚さによって設定される。これにより、光源１０ｆの光の出射分布が設定される。
【００５０】
なお、上記説明した第１の実施の形態に係る光源１０、１０ａ、１０ｂ、１０ｃ、１０ｄ、１０ｅ、および１０ｆでは、内壁面３２の主面１ａに対する角度が、主面１ａから離れるに従い小さくなる部分を有する例を説明したが、反対に、主面１ａから離れるに従い大きくなる部分を有するものであってもよい。
【００５１】
（第２の実施の形態）
次に、第２の実施の形態に係る光源を説明する。なお、以下の説明では、第１の実施の形態に係る光源１０との相違点を中心に説明する。
図６は、第２の実施の形態に係る光源を説明する模式図（その１）である。
図７は、第２の実施の形態に係る光源を説明する模式図（その２）である。
図６、７では、開口部分の模式的な平面図を表している。
【００５２】
図６（ａ）は、発光部２の平面視外形に合わせた開口３１ａの平面視を例示している。
開口３１ａは、反射部３において発光部２の位置に設けられている。発光部２は、平面視外形が矩形になっている。この発光部２の平面視外形に合わせて開口３１ａが設けられている。図６（ａ）に表した光源１３ａでは、開口３１ａが、発光部２の平面視外形に合わせて矩形になっている。光源１３ａにおいて、発光部２の平面視外形が円形での場合、それに合わせて開口３１ａを円形にする。また、光源１３ａにおいて、発光部２の平面視外形の三角形の場合、開口３１ａを三角形にする。なお、光源１３ａにおいて、発光部２の他の平面視外形についても同様である。
【００５３】
図６（ｂ）は、発光部２の平面視外形とは異なる開口３１ｂの平面視を例示している。
開口３１ｂは、反射部３において発光部２の位置に設けられている。発光部２は、平面視外形が矩形になっている。この発光部２の平面視外形に対し、開口３１ｂは平面視円形に設けられている。図６（ｂ）に表した光源１３ｂでは、発光部２の平面視外形が矩形の場合を例示している。光源１３ｂにおいて、発光部２の平面視外形が円形の場合には、開口３１ｂの平面視外形を矩形や三角形といった円形以外の形状にする。
【００５４】
図７（ａ）は、発光部２と開口３１ｃとの間の、ｘ軸方向に沿った隙間Ｄｘと、ｙ軸方向に沿った隙間Ｄｙとが、異なる例を示している。
図７（ａ）に表した光源１３ｃでは、隙間Ｄｘよりも隙間Ｄｙが大きくなっている。なお、開口３１ｃは、楕円形を成しているが、隙間Ｄｘと隙間Ｄｙとが異なる形状であれば、楕円形以外であってもよい。このように、隙間Ｄｘと隙間Ｄｙとが異なることで、ｘ軸方向とｙ軸方向とで光源１３ｃの光の出射範囲に差を持たせることができる。
【００５５】
図７（ｂ）は、発光部２の中心点Ｏ１に対して、開口３１ｄの中心点Ｏ２が偏芯している光源１３ｄを例示している。例えば、光源１３ｄでは、発光部２の中心点Ｏ１に対して、開口３１ｄの中心点Ｏ２が、ｘ軸方向に偏芯している。これにより、発光部２と開口３１ｄとの隙間において、発光部２の左側の隙間Ｄｘ１が、右側の隙間Ｄｘ２よりも大きくなる。光源１３ｄでは、隙間Ｄｘ１およびＤｘ２の設定によって、ｘ軸方向における光の出射範囲に差を持たせることができる。なお、開口３１ｄは、発光部２に対してｙ軸方向に偏芯していても、また、ｘ軸方向およびｙ軸方向の両方に偏芯していてもよい。
【００５６】
（第３の実施の形態）
次に、第２の実施の形態に係る光源を説明する。なお、以下の説明では、第１の実施の形態に係る光源１０との相違点を中心に説明する。
図８は、第３の実施の形態に係る光源を説明する模式図である。
すなわち、図８では、第３の実施の形態に係る光源１４の模式断面図を示している。
同図（ａ）は、発光部周辺の模式断面図、同図（ｂ）は、発光部と反射部との隙間部分の模式拡大断面図である。
この光源１４では、開口３１ｅの内壁面３２において、基板１の主面１ａに対する角度が、主面１ａから離れるに従い小さくなる部分と、大きくなる部分とを有している。
【００５７】
図８（ｂ）に表したように、開口３１ｅの内壁面３２は、基板１の主面１ａから離れるに従い、角度が大きくなる部分３２ｑ、角度が小さくなる部分３２ｒとを有している。例えば、反射部３ｇの内壁面３２における、基板１の主面１ａに近い部分３２ｑでは、主面１ａに対する接線の角度が、主面１ａから離れるに従い、θ１１からθ１２へと大きくなっている。一方、内壁面３２の主面１ａから離れた部分３２ｒでは、主面１ａに対する接線の角度が、主面１ａから離れるに従い、θ２１〜θ２２へと小さくなっている。例えば、内壁面３２の部分３２ｑについて、放物曲線になるよう設定することで、反射した光を上方に集光できるようになる。
【００５８】
（第４の実施の形態）
次に、第４の実施の形態に係る光源を説明する。
図９は、複数の発光部を有する光源１５を例示する模式図である。
同図において、（ａ）は光源１５の平面図、（ｂ）は光源１５における断面図を示している。
光源１５は、基板１の主面１ａに設けられた複数の発光部２と、各発光部２の位置に開口３１が設けられ、基板１の主面１ａに取り付けられたシート状の反射部３と、を備えている。
また、この反射部３において、基板１の主面１ａから離れるに従い、開口３１の内壁面３２の主面１ａに対する角度が小さくなる部分を有している。
【００５９】
図９に示す光源１５では、例えば、縦３個×横３個の合計９個の発光部２が基板１の主面１ａに設けられている。反射部３には、これら９個の発光部２の位置に開口３１が各々設けられている。なお、基板１に設けられる発光部２の個数や配置は適宜設定される。
【００６０】
また、反射部３においては、発光部２と開口３１との間に隙間が設けられている。これにより、光源１５では、反射部３を基板１の主面１ａに取り付ける際、発光部２と開口３１との間の位置合わせに余裕を持たせることができる。
【００６１】
また、反射部３においては、開口３１と、その開口３１と隣り合う開口３１と、の間に平坦部３４が設けられている。これにより、光源１５では、反射部３の平坦部３４において一様な反射特性を得られるようになる。
【００６２】
ここで、光源１５における開口３１には、第１の実施の形態に係る光源１０、１０ａ〜１０ｆで用いた各開口３１の例を適用することができる。また、光源１５における開口３１には、第２の実施の形態に係る光源１３ａ〜１３ｄで用いた各開口３１ａ〜３１ｄの例を適用することができる。さらに、光源１５における開口３１には、第３の実施の形態に係る光源１４で用いた開口３１ｅの例を適用することができる。
【００６３】
さらに、内壁面３２の主面１ａに対する角度は、主面１ａにおける発光部２の位置に応じた角度になっていてもよい。例えば、内壁面３２の主面１ａに対する角度は、主面１ａの中央から周辺に向かうに従い小さくなる、または大きくなるように設けられていてもよい。
【００６４】
次に、第４の実施の形態に係る光源の他の例を説明する。なお、以下の説明では、第４の実施の形態に係る光源１０との相違点を中心に説明する。
図１０は、第４の実施の形態に係る光源の他の例を説明する模式断面図（その１）である。
図１１は、第４の実施の形態に係る光源の他の例を説明する模式断面図（その２）である。
【００６５】
（第４の実施の形態の他の例（その１））
図１０（ａ）は、第４の実施の形態の他の例（その１）に係る光源１５ａを例示する模式平面図である。
図１０（ａ）に表した光源１５ａでは、発光部２に対する開口３１ａの偏芯の度合いが、発光部２の基板１に対する配置によって相違する。例えば、基板１の中央に配置される発光部２ａについての開口３１ａは、偏芯していない。一方、基板１の中央に対してｘ軸方向、ｙ軸方向にずれて配置される発光部２についての開口３１ａは、そのずれに応じて偏芯している。
【００６６】
例えば、中央の発光部２ａに対してｘ軸方向の右側に配置される発光部２ｂでは、開口３１ａが発光部２ｂに対してｘ軸方向に偏芯している。また、例えば、中央の発光部２ａに対してｙ軸方向の上側に配置される発光部２ｃでは、開口３１ａが発光部２ｃに対してｙ軸方向に偏芯している。また、例えば、中央の発光部２ａに対してｘ軸方向の右側、ｙ軸方向の上側に配置される発光部２ｄでは、開口３１ａが発光部２ｄに対してｘ軸方向およびｙ軸方向に各々偏芯している。
なお、開口３１ａの偏芯の量は、中央の発光部２ａに対する発光部２のｘ軸方向およびｙ軸方向のずれ量に基づいて設定してもよい。
【００６７】
このような光源１５ａでは、発光部２の基板１に対する配置により、反射部３の開口３１ａによる反射特性を変えることができ、光源１５ａの全体として光の出射分布を設定できるようになる。
【００６８】
なお、図１０（ａ）に示す開口３１ａの偏芯の方向や量は一例であり、本発明の光源はこれに限定されるものではない。例えば、開口３１ａの偏芯の方向および量は、図１０（ａ）に例示する開口３１ａの偏芯の方向および量とは全く反対になっていてもよい。また、開口３１ａの偏芯の方向および量は、いずれか一方が変化するようになっていてもよい。
【００６９】
（第４の実施の形態の他の例（その２））
図１０（ｂ）は、第４の実施の形態の他の例（その２）に係る光源１５ｂを例示する模式平面図である。
図１０（ｂ）に表した光源１５ｂでは、反射部３の開口３１ｂの大きさが、発光部２の基板１に対する配置によって相違する。例えば、図１０（ｂ）に表した光源１５ｂでは、基板１の中央に配置される発光部２ｅの大きさよりも、この発光部２ｅを中心として外側を囲む発光部２ｆの大きさの方が小さくなっている。また、発光部２ｆの外側を囲む発光部２ｇの大きさは、発光部２ｆの大きさよりも小さくなっている。すなわち、中央の発光部２ｅから外側に向かうほど、開口３１ｂの大きさが小さくなる。
なお、開口３１ｂの大きさ違いは、中央の発光部２ｅに対する発光部２の距離に基づいて設定してもよい。
【００７０】
このような光源１５ｂでは、中央の発光部２ｅに対する配置により、反射部３の開口３１ｂによる反射特性を変えることができ、光源１５ｂの全体として光の出射分布を設定できるようになる。
【００７１】
なお、図１０（ｂ）に示す開口３１ｂの大きさの方向や量は一例であり、本発明の光源はこれに限定されるものではない。例えば、開口３１ｂの大小関係および大きさの変化量は、図１０（ｂ）に例示する開口３１ｂの大小関係および大きさの変化量とは全く反対になっていてもよい。
【００７２】
（第４の実施の形態の他の例（その３））
図１１は、第４の実施の形態の他の例（その３）に係る光源１５ｃを例示する模式平面図である。
図１１に表した光源１５ｃでは、基板１ｂとして矩形以外の形状のものが用いられている。例えば、光源１５ｃでは、円形の基板１ｂが用いられている。また、反射部３ｈは、基板１ｂの外形に合わせた形状が用いられている。例えば、光源１５ｃでは、円形の反射部３ｈが用いられている。
【００７３】
さらに、光源１５ｃでは、基板１の中央に配置される発光部２ｈについての開口３１ｂは、円形になっている。一方、基板１の周辺に配置される発光部２ｉについての開口３１ｆは、基板１の外周に合わせた形状を成している。例えば、開口３１ｆは、基板１の外周に合わせて湾曲した長円形状になっている。
【００７４】
このような光源１５ｃでは、基板１ｂに対する発光部２ｈおよび２ｉの配置や基板１ｂの外形に応じて開口３１ｂおよび３１ｆの形状が設定される。したがって、基板１ｂの外形に応じて光源１５ｃの反射特性を変えることができ、光源１５ｃの全体として光の出射分布を設定できるようになる。
【００７５】
なお、基板１ｂの形状は、円形以外であってもよい。例えば、三角形や五角形などの多角形や、楕円形や長円形などの曲線を有する形状など、光源１５ｃの用途に応じた種々の形状が採用される。
【００７６】
（第５の実施の形態）
次に、第５の実施の形態に係る面光源モジュールを説明する。
図１２は、第５の実施の形態に係る面光源モジュール１００を例示する模式図である。
面光源モジュール１００は、例えば、ＬＣＤ等のバックライトユニットとして用いられる。
【００７７】
面光源モジュール１００は、支持基板Ｓの主面に、先に説明した光源１０、１３、１４および１５のうち選択されたものが設けられた構造を有している。図１２に表した面光源モジュール１００では、矩形の光源１５が支持基板Ｓに複数配置された構造を有している。
【００７８】
支持基板Ｓには配線パターン（図示せず）が設けられており、光源１５を実装した際、光源１５と配線パターンとが電気的に接続されている。なお、光源１５は、支持基板Ｓにソケット等で着脱自在に実装されていてもよい。支持基板Ｓの配線パターンには、電源部１０１、制御部１０２が適宜接続されている。また、複数の光源１５が設けられた支持基板Ｓの上方には、拡散板４が配置される。
【００７９】
面光源モジュール１００の光源１５には、先に説明した反射部３が設けられている。反射部３の開口３１は、先に説明した各種の態様が採用される。面光源モジュール１００では、電源部１０１から光源１５に対する電源が供給される。また、制御部１０２は、複数の光源１５の発光状態を制御する。例えば、制御部１０２は、複数の光源１５のうち、特定の光源１５のみを発光させる制御を行う。また、制御部１０２は、光源１５の発光量を制御する。
【００８０】
面光源モジュール１００においては、各光源１５における反射部３の開口３１の態様を、支持基板Ｓ上での開口３１の位置や、隣接する光源１５との関係で設定してもよい。
例えば、隣り合う光源１５において、境目側の発光部２の開口３１については、隣りの光源１５の方向へ光の出射分布が拡がり過ぎないような態様を適用する。また、面光源モジュール１００において、最外周になる発光部２の開口３１については、外側に拡がり過ぎないような態様を採用する。
【００８１】
例えば、ＬＣＤに適用するバックライトとして面光源モジュール１００を採用した際、ローカルディミング方式による発光制御では、光源１５の境界が発光エリアの境目になる。面光源モジュール１００では、このようなローカルディミング方式の制御を行う際に、開口３１の態様により、発光エリアの境目での表示コントラストを向上できるようになる。
【００８２】
（第６の実施の形態）
次に、第６の実施の形態に係る光源の製造方法を説明する。
図１３は、光源の製造方法を説明する模式斜視図である。同図では、（ａ）〜（ｃ）の順に光源の製造方法を表している。なお、図１３では、複数の発光部２を有する光源１５の製造方法を例とするが、１つの発光部２を有する光源１０の製造方法も同様である。
【００８３】
先ず、図１３（ａ）に表したように、基板１の主面１ａの所望の位置に発光部２を実装する。基板１の主面１ａには、配線パターン（図示せず）が設けられている。発光部２は、基板１の主面１ａに設けられた配線パターンに、はんだ等によって接続される。発光部２は、放射状に光を出射するパッケージ形態が採用されている。したがって、基板１に実装された発光部２は、基板１の主面１ａ側に向けて放射状に光を出射する特性を有する。
【００８４】
次に、図１３（ｂ）に表したように、開口３１が設けられたシート状の反射部３を、基板１の主面１ａに取り付ける。ここで、反射部３の開口３１は、予め、基板１に実装された発光部２の位置に合わせて設けられている。開口３１は、シート状の反射材料に、例えばパンチ加工を施すことで形成される。また、開口３１の内壁面３２の角度や形状は、パンチ加工の型によって設定される。
【００８５】
また、開口３１の大きさは、発光部２の平面視外形よりもわずかに大きくなっている。これにより、反射部３を基板１の主面１ａに取り付ける際、開口３１と発光部２との間の位置合わせのマージンが得られる。また、開口３１と発光部２との間に隙間が設けられることで、発光部２からやや基板１側に出射された光を、確実に開口３１の内壁面３２に当てて、上方に反射させることができるようになる。
【００８６】
反射部３は、例えば、接着剤によって基板１の主面１ａに貼り付けられる。シート状の反射部３は、基板１へ容易に貼り付けることができる。図１３（ｃ）に表したように、反射部３が基板１に貼り付けられると、光源１５が完成する。
【００８７】
ここで、反射部３の基板１の主面１ａに対する高さは、発光部２の基板１の主面１ａに対する高さ以下である。したがって、発光部２から上側に放射状に出射される光は、開口３１の内壁面３２に蹴られることなく、上方に進むことになる。
【００８８】
光源１５が完成した後は、必要に応じて光源１５の上に拡散板４を取り付ける。また、さらに、必要に応じて、光源１５と電源部１０１や制御部１０２を接続する。これにより、面光源モジュール１００になる。
【００８９】
なお、上記説明した製造方法では、基板１の主面１ａに発光部２を実装した後、開口３１を有するシート状の反射部３を基板１の主面１ａに貼り付けたが、反対に、反射部３を貼り付けた後、開口３１内となる基板１の主面１ａに発光部２を実装するようにしてもよい。
【００９０】
以上、本発明の実施形態およびその変形例を説明したが、本発明はこれらの例に限定されるものではない。例えば、前述の各実施形態またはその変形例に対して、当業者が適宜、構成要素の追加、削除、設計変更を行ったものもや、各実施形態の特徴を適宜組み合わせたものも、本発明の要旨を備えている限り、本発明の範囲に含有される。
【符号の説明】
【００９１】
１…基板、２…発光部、３…反射部、４…拡散板、１０…光源、３１…開口、３２…内壁面、１００…面光源モジュール
【図１】
2011181219.tif 000003
【図２】
2011181219.tif 000004
【図３】
2011181219.tif 000005
【図４】
2011181219.tif 000006
【図５】
2011181219.tif 000007
【図６】
2011181219.tif 000008
【図７】
2011181219.tif 000009
【図８】
2011181219.tif 000010
【図９】
2011181219.tif 000011
【図１０】
2011181219.tif 000012
【図１１】
2011181219.tif 000013
【図１２】
2011181219.tif 000014
【図１３】
2011181219.tif 000015